(57)【要約】【課題】炊飯ユニットを加熱ユニットから分離自在の炊飯器において、炊飯ユニットを検出するためのスイッチ等を不要とする。【解決手段】内釜Ｂ２と、内釜Ｂ２を収納し金属体Ｂ７を有する炊飯ユニットＢ１と、電流検出部Ｃ７及び加熱コイルＡ２を有する加熱ユニットＡ１と、を有し、炊飯ユニットＢ１は加熱ユニットＡ１から分離自在の炊飯器において、加熱コイルＡ２を一定時間駆動させ、電流検出部Ｃ７が所定の電流値を検出した場合、加熱を継続する。【選択図】図１
2018051094.tif 000002
【特許請求の範囲】
【請求項１】
内釜と、
該内釜を収納し金属体を有する炊飯ユニットと、
電流検出部及び加熱コイルを有する加熱ユニットと、を有し、
前記炊飯ユニットは前記加熱ユニットから分離自在の炊飯器において、
前記加熱コイルを一定時間駆動させ、前記電流検出部が所定の電流値を検出した場合、加熱を継続することを特徴とする炊飯器。
【請求項２】
前記電流検出部からの電流値に第一のしきい値と第二のしきい値を設定し、
前記第一のしきい値を超えた場合、前記内釜が収納されていない状態で前記炊飯ユニットが前記加熱ユニットに装着されていると判断し、
前記第二のしきい値を超えた場合、前記内釜を収納した状態で前記炊飯ユニットが前記加熱ユニットに装着されていると判断する、
ことを特徴とする請求項１に記載の炊飯器。
【請求項３】
前記内釜が収納されていない状態の前記炊飯ユニットが前記加熱ユニットに装着されていると判断した場合、前記加熱ユニットによる加熱を停止することを特徴とする、請求項２記載の炊飯器。
【請求項４】
前記電流検出部は整流回路の前段部に設けられていることを特徴とする、請求項１乃至３のいずれかに記載の炊飯器。
【請求項５】
前記電流検出部は整流回路の後段部に設けられていることを特徴とする、請求項１乃至３のいずれかに記載の炊飯器。
【請求項６】
前記電流検出部は前記加熱コイルの通電部に設けられていることを特徴とする、請求項１乃至３のいずれかに記載の炊飯器。
【請求項７】
前記電流検出部はスイッチング素子通電部に設けられていることを特徴とする、請求項１乃至３のいずれかに記載の炊飯器。
【発明の詳細な説明】
【技術分野】
【０００１】
本発明は、炊飯器に関するものである。
【背景技術】
【０００２】
従来のこの種の分離できる炊飯器の発明として、特許文献１がある。特許文献１の要約欄には、「誘導加熱コイルを有する加熱ユニット８と、鍋２と断熱材３を有するおひつユニット６を着脱自在にすることにより、ご飯を含むおひつユニットのみを容易に持ち運びできるようになる。」と記載されている。
【先行技術文献】
【特許文献】
【０００３】
【特許文献１】特開２００１-２１１９９４号公報
【発明の概要】
【発明が解決しようとする課題】
【０００４】
特許文献１では、加熱ユニットとおひつユニットとを分離できる構造にすると、加熱ユニット上におけるおひつユニットの有無を検出するために、スイッチ等を設ける必要がある。スイッチの場合、その配線が増えたり、配置する場所の確保なのどの問題が生じる。
【課題を解決するための手段】
【０００５】
本発明は上記の課題を解決するためになされたものであり、内釜と、該内釜を収納し金属体を有する炊飯ユニットと、電流検出部及び加熱コイルを有する加熱ユニットと、を有し、前記炊飯ユニットは前記加熱ユニットから分離自在の炊飯器において、前記加熱コイルを一定時間駆動させ、前記電流検出部が所定の電流値を検出した場合、加熱を継続する。
【発明の効果】
【０００６】
本発明によれば、炊飯ユニットを検出するためのスイッチ等が不要となる。
【図面の簡単な説明】
【０００７】
【図１】本発明の実施例に係る炊飯器の断面図である。
【図２】同炊飯器の炊飯ユニットと加熱ユニットを分離した状態の断面図である。
【図３】本発明の実施例に係る炊飯器制御部内の電流検出部を整流回路の前段に設けた場合の回路ブロック図である。
【図４】本発明の実施例に係る炊飯器制御部内の電流検出部を整流回路の後段に設けた場合の回路ブロック図である。
【図５】本発明の実施例に係る炊飯器制御部内の電流検出部を加熱コイル通電部に設けた場合の回路ブロック図である。
【図６】本発明の実施例に係る炊飯器制御部内の電流検出部をスイッチング素子通電部に設けた場合の回路ブロック図である。
【図７】本発明の実施例に係る炊飯器において、本体ユニットと内釜がある状態で、一定時間インバータを駆動した場合の電流波形である。
【図８】本発明の実施例に係る炊飯器において、本体ユニットがある状態で、一定時間インバータを駆動した場合の電流波形である。
【図９】本発明の実施例に係る炊飯器において、炊飯ユニットの無い状態で、一定時間インバータを駆動した場合の電流波形である。
【発明を実施するための形態】
【０００８】
以下、本発明の一実施例について説明する。加熱ユニットは加熱ユニット（加熱ユニット本体）Ａ１に加熱コイルＡ２と、制御部Ａ３と、操作部Ａ４とを有し、電源コードＡ５から供給される電源によって、制御部Ａ３に接続された加熱コイルＡ２が電磁誘導加熱を行う。加熱コイルＡ２の上面にはプレートＡ６があり、プレートＡ６中央の凸部Ａ７の先端には温度センサーＡ８が設けられている。さらに制御部Ａ３内には、商用電源Ｃ１からの供給電源を整流する整流回路Ｃ２と、電磁誘導加熱を行う回路として平滑コンデンサＣ３と、共振コンデンサＣ４と、スイッチング素子Ｃ５と、インバータ駆動回路Ｃ６と、電流検出部Ｃ７、マイクロコンピュータＣ８が設けられている。
【０００９】
炊飯ユニットは、炊飯ユニット（炊飯ユニット本体）Ｂ１に内釜Ｂ２が着脱自在に収納され、炊飯ユニットＢ１に開閉自在に設けられた外蓋Ｂ３と、外蓋Ｂ３に取り付けられ、内釜Ｂ２の上部を覆う内蓋Ｂ４からなっている。炊飯ユニットＢ１の底部には凹部Ｂ５が設けられ、凹部Ｂ５から内釜Ｂ２の底面中央が露出している。また炊飯ユニット下部には金属体Ｂ７が設けられている。この金属体Ｂ７は炊飯ユニットＢ１の外郭を構成する部品を代用してもよい。
【００１０】
加熱ユニットに炊飯ユニットを載置すると、凸部Ａ７と、凹部Ｂ５が嵌り、加熱ユニットの載置部Ａ９に、炊飯ユニットＢ１の脚部Ｂ６が載って固定される。このとき、一定時間インバータを駆動させると加熱コイルＡ２と内釜Ｂ４や金属体Ｂ７との結合により、電流が流れ電流検出部Ｃ７で、電流値を検出することができる。
【００１１】
この電流検出をするにあたり電流検出部を設ける場所としては、整流回路Ｃ２の前段（図３）または、整流回路Ｃ２の後段（図４）または、加熱コイルＡ２通電部（図５）または、スイッチング素子Ｃ５通電部（図６）が考えられる。
【００１２】
以上の構成において、その動作を説明する。使用者は適量の米と水を入れた内釜Ｂ２を炊飯ユニットＢ１に入れ、外蓋Ｂ３を閉める。それを加熱ユニットＡ１の上に載せる。このとき凸部Ａ７と凹部Ｂ５が勘合するとともに、載置部Ａ９に脚部Ｂ６が載って固定される。
【００１３】
次に、使用者が操作部Ａ４を操作し、炊飯工程へと移行すると制御部Ａ３は、炊飯ユニットＢ１及び内釜Ｂ２の有無を確認するために、一定時間インバータを駆動させる。その結果、電流検出部で検出される電流値が図７に示すように電流しきい値Ａを超えた場合は、炊飯ユニットＢ１と内釜Ｂ２が加熱ユニットＡ１上に有ると判断し、炊飯工程へと移行する。
【００１４】
電流検出部で検出される電流値が図８に示すように電流しきい値Ｂを超えた場合は、炊飯ユニットＢ１が加熱ユニットＡ１上に有り、内釜Ｂ２は無いと判断し、加熱を停止し待機状態へと工程へと移行する。
【００１５】
電流検出部で検出される電流値が図９に示すようにいずれのしきい値も超えない場合は、炊飯ユニットＢ１と内釜Ｂ２が加熱ユニットＡ１上に無いと判断し、加熱を停止し待機状態へと工程へと移行する。
【００１６】
炊飯ユニットＢ１と内釜Ｂ２が加熱ユニットＡ１上にあり、炊飯が開始されると、制御部Ａ３は加熱コイルＡ２から高周波電磁界を発生させ、内釜Ｂ２を電磁誘導加熱する。温度センサーＡ８は内釜Ｂ２底面の温度を検出し、制御部Ａ３に予め定められたプログラムによって加熱制御され、炊飯が終了する。使用者は炊飯が終了すると、炊飯ユニットＢ１を加熱ユニットＡ１から分離させて食卓に移動させることが出来る。炊飯ユニットは電気部品を有しておらず、電源や信号のコードを外す手間もない。
【００１７】
以上の本実施例の構成によれば、内釜と、該内釜を収納し金属体を有する炊飯ユニットと、電流検出部及び加熱コイルを有する加熱ユニットと、を有し、前記炊飯ユニットは前記加熱ユニットから分離自在の炊飯器において、前記加熱コイルを一定時間駆動させ、前記電流検出部が所定の電流値を検出した場合、加熱を継続する。これにより、炊飯ユニットを検出するためのスイッチが不要となり、配線が増えたり、スイッチを配置する場所を確保する必要がなくなる。
【００１８】
また、前記電流検出部からの電流値に第一のしきい値と第二のしきい値を設定し、前記第一のしきい値を超えた場合、前記内釜が収納されていない状態で前記炊飯ユニットが前記加熱ユニットに装着されていると判断し、前記第二のしきい値を超えた場合、前記内釜を収納した状態で前記炊飯ユニットが前記加熱ユニットに装着されていると判断する。これにより、内釜の有無を判断することができる。
【００１９】
また、前記内釜が収納されていない状態の前記炊飯ユニットが前記加熱ユニットに装着されていると判断した場合、前記加熱ユニットによる加熱を停止する。これにより、不適切な状態での加熱を防止できる。
【符号の説明】
【００２０】
Ａ１  加熱ユニット（加熱ユニット本体）
Ａ２  加熱コイル
Ａ３  制御部
Ａ４  操作部
Ａ５  電源コード
Ａ６  プレート
Ａ７  凸部
Ａ８  温度センサー
Ａ９  載置部
Ｂ１  炊飯ユニット（炊飯ユニット本体）
Ｂ２  内釜
Ｂ３  外蓋
Ｂ４  内蓋
Ｂ５  凹部
Ｂ６  脚部
Ｂ７  金属体
Ｃ１  商用電源
Ｃ２  整流回路
Ｃ３  平滑コンデンサ
Ｃ４  共振コンデンサ
Ｃ５  スイッチング素子
Ｃ６  インバータ駆動回路
Ｃ７  電流検出部
Ｃ８  マイクロコンピュータ
【図１】
2018051094.tif 000003
【図２】
2018051094.tif 000004
【図３】
2018051094.tif 000005
【図４】
2018051094.tif 000006
【図５】
2018051094.tif 000007
【図６】
2018051094.tif 000008
【図７】
2018051094.tif 000009
【図８】
2018051094.tif 000010
【図９】
2018051094.tif 000011